(57)【要約】【課題】精密な記録を行うことが可能であり美しい意匠を有すると共に、その精密で美しい意匠を長期にわたり維持可能な位牌を提供する。【解決手段】透明な基材に情報が記録された表示板１を備える位牌であって、前記表示板１は、透明な基材の裏面側から情報パターンのエッチングにより形成された凹部４と該凹部に着色してなる着色層５とから構成される記録部が設けられ、前記着色層５の上に全面ベタに濃色層６が形成されてなる。【選択図】　図１
2004129753.tif 000002
【特許請求の範囲】
【請求項１】
透明な基材に情報が記録された表示板を備える位牌であって、前記表示板は、透明な基材の裏面側から情報パターンのエッチングにより形成された凹部と、該凹部に着色してなる着色層とから構成される記録部が設けられ、前記着色層の上に全面ベタに濃色層が形成されていることを特徴とする位牌。
【請求項２】
表示板の情報が、家紋、経文、写真の中の１種又は２種以上である請求項１記載の位牌。
【請求項３】
表示板が取り替え可能に形成されている請求項１又は２記載の位牌。
【発明の詳細な説明】
【０００１】
【発明の属する技術分野】
本発明は位牌に関するものである。
【０００２】
【従来の技術】
従来の位牌は、木の板等の表面に黒色の漆を塗り、故人の戒名、俗名、享年等を、金墨を用いて毛筆で記載したものが用いられていた。近年、故人に関する情報を、見易くし長期にわたり維持できる位牌として、表面が黒色のカラーステンレス鋼板片に、エッチング又はレーザ光線により、故人の戒名等の文字や故人の写真等を記録してなるものが公知である（例えば、特許文献１参照。）。
【０００３】
また、板の表面の一部をアルミニウム薄板等の金属によって形成し、その金属部分にエッチングによって遺影を表示してなる位牌が公知である（例えば、特許文献２参照）。
【０００４】
【特許文献１】
特開平８−１７３３０７号公報（特許請求の範囲）。
【特許文献２】
特開平１０−１４６２４６号公報（請求項４）
【０００５】
【発明が解決しようとする課題】
上記従来の位牌は、カラーステンレス鋼板片又はアルミニウム薄板等の金属が基材として用いられている。その為、長期に亘って保存される場合、金属の腐蝕等によって、表面に形成した記録層の文字等が見難くなり易いという問題があった。また、カラーステンレスやアルミニウム等の金属をベースとした外観は、高級感が乏しく、位牌として意匠的に好ましくない。また、腐蝕等が生じると、さらに意匠性が低下してしまう。
【０００６】
本発明は上記従来技術の欠点を解決する為に成されたものであり、精密な記録を行うことが可能であり、立体感及び高級感のある美しい意匠を有すると共に、その精密で美しい意匠を長期にわたり維持可能な位牌を提供することを目的とする。
【０００７】
【課題を解決するための手段】
本発明は、（１）透明な基材に情報が記録された表示板を備える位牌であって、前記表示板は、透明な基材の裏面側から情報パターンのエッチングにより形成された凹部と、該凹部に着色してなる着色層とから構成される記録部が設けられ、前記着色層の上に全面ベタに濃色層が形成されていることを特徴とする位牌、（２）表示板の情報が、家紋、経文、写真の中の１種又は２種以上である上記（１）記載の位牌、（３）表示板が取り替え可能に形成されている上記（１）又は（２）記載の位牌、を要旨とする。
【０００８】
【発明の実施の形態】
本発明の位牌は、例えば図１に示す如き、透明なガラス板からなる基材２に、写真等の画像情報３１、戒名等の文字情報３２等が情報パターンとして記録された表示板１を備えるものである。表示板１は、特に図示しないが、位牌を構成する位牌本体の表面に貼着して位牌を構成する。
【０００９】
また本発明位牌は、前記表示体１を位牌に貼着して、取り外しできないように形成してもよいが、位牌本体に該表示板１を嵌めこみ可能な凹部等を設けたり、或いは位牌本体に窓明けしてその窓に表示板を嵌めこみ可能とし、各種表示板１を取り替えて使用可能に形成しても良い。
【００１０】
本発明において、表示板１に記録される情報パターンは、図２に示すように、基材２の裏面側からエッチングにより形成された凹部４と、該凹部４内に着色層としてＡｌ（アルミニウム）、Ｃｒ（クローム）、１８Ｋ、２４Ｋ（金）等の金属を蒸着して着色してなる金属装飾層５とから構成される情報の記録部が設けられている。
【００１１】
さらに、表示板１を構成する基材２の裏面側には、図２に示すように、金属装飾層５の上に全面ベタに、黒色塗料を塗装して形成された濃色層６が形成されている。
【００１２】
表示板１の画像情報３１として用いられる写真は、例えば故人（又はペット）の遺影、あるいは故人とゆかりのペットの写真、ゆかりの風景写真等が用いられる。また画像情報３１は、写真以外に家紋等の画像であっても良い。また文字情報３２として用いられる情報は、故人やペット等の戒名、俗名、没年月日（年号）等の経歴、先祖の過去帳、般若信教等の経文等である。
【００１３】
本発明では、表示板１に設けられる情報は特に限定されず、上記画像情報又は文字情報等のうち、少なくとも１種以上形成されていればよい。本発明は上記情報を記録する際、情報パターンの凹部をエッチングにより形成する為、微細な加工が可能であることから、長い経文等の文字を小さく形成する必要があるものや、また写真、家紋等の画像の精密な描写に最適である。
【００１４】
表示板１の基材２は透明な材料であればよく、ガラス以外にプラスチック板を用いることができるが、耐久性、意匠性等の点から、ガラス板が好ましい。基材２の厚みは、１〜１．５ｍｍ程度が好ましい。
【００１５】
着色層としては、金やクローム等の金属装飾層５以外の金属蒸着層でも良いし、或いは染料等を用いてもよい。なお耐久性及び意匠性の点からは金属蒸着によるものが好ましい。特に着色層が金（２４Ｋ）やクローム等の金属蒸着により形成されている場合、情報パターンが金属光沢を呈するため、より一層深みが出て、さらに高級感に優れた意匠が得られる為、好ましいものである。
【００１６】
濃色層６は、透明な基材２の背面の全面に形成し、凹部及び着色層からなる情報パターンの背景層として情報パターンを見やすくする為のものである。すなわち濃色層６は、基材の表面側（図２中では上方）から観た場合に凹部及び着色層からなる情報パターンを認識し易くなる程度の濃色であればよい。濃色層６は通常は黒色に形成される。
【００１７】
表示板１に、画像情報３１及び文字情報３２等の情報パターンを形成する方法の一例を以下に示す。
まず基材２の裏面側に情報パターンをエッチングして凹部を形成する。次にこの情報パターンが凹部４として形成された基材２の裏面の全体に、真空蒸着法により２４Ｋ又はクロームメッキ等の蒸着層を形成する。この蒸着層の上から塗料を塗付した後、拭き取って、凹部４のみに塗料を残す。凹部４以外の部分の余分な金属を除去して凹部４のみに蒸着層５を残す。最後に蒸着層４の上から、基材２の裏面側全体に黒色の塗料を塗付して乾燥させる。
【００１８】
エッチングは、微細な文字等を精密に記載できる。そのため、経文等を記録する際に、小さな文字を使用することが可能であり、限られた領域の中に多量の文字を正確に記録できる。また精密で正確な顔写真等も記録できる。このように、表示板の情報パターンの凹部がエッチングにより形成されている為、一枚の位牌に多量の情報を記録できる。
【００１９】
【発明の効果】
本発明は、透明な基材に情報が記録された表示板を備える位牌であって、前記表示板は、透明な基材の裏面側から情報パターンのエッチングにより形成された凹部と、該凹部に着色してなる着色層とから構成される記録部を備え、前記着色層の上に形成された濃色層を備える構成を採用したことにより、精密な記録を行うことが可能であり、美しい意匠を有する。特に、情報パターンの凹部は、表示板の裏面側からエッチングにより形成されていて表面に露出していない為に、腐蝕などの劣化が起こり難く、その精密で美しい意匠を長期にわたり維持することができる。
【００２０】
また従来の単なる金属板の表面にエッチングにより情報が記録された位牌と比較して、透明な基材の裏面側から情報パターンの凹部が形成されているため、透明基材と通して情報パターンを見ることになり、立体感に優れた深みのある高級感を有する位牌が得られる。
【図面の簡単な説明】
【図１】本発明位牌に用いられる表示板の一実施態様の外観を示す斜視図である。
【図２】図１のＢ−Ｂ線水平断面図である。
【符号の説明】
１　表示板
２　透明な基材
３１　画像情報
３２　文字情報
４　凹部
５　金属装飾層
６　濃色層
【図１】
2004129753.tif 000003
【図２】
2004129753.tif 000004